(57)【特許請求の範囲】
【請求項１】
合材（加熱アスファルト）を投入保持する保温室と、該保温室を収納保持するハウジングとを備え、
保温室は、保温室本体と、該保温室本体を加熱保温する保温手段とを備え、
前記保温室本体は、上側に合材投入口を、後端側に合材排出口を備え、前記保温室本体の底壁が前端側から後端側に向かって下方へ傾斜する合材保温ボックスにおいて、
前記合材排出口が、上端で軸支された片開きの合材排出口扉で開閉可能とされ、該合材排出口扉の回動端とハウジング前壁の上方部との間に合材排出口扉の閉じ防止線状体が配設されるとともに、前記合材排出口扉の両側と前記合材排出口両側縁との間に扉開方向の付勢ばね手段が配されていることを特徴とする合材保温ボックス。
【請求項２】
前記付勢ばね手段が空気ばねであることを特徴する請求項１記載の合材保温ボックス。
【請求項３】
前記ハウジングの両側側壁の後端から上下長孔を備えた結合ブラケットを固着するとともに、該長孔を介して前記長孔を上下摺動可能な円形嵌合部を備えた結合ロッドを、アングル座を介してネジ結合し、さらに、該結合ロッドを荷台サイドゲートのテールゲート支持ブラケットの嵌着孔に離脱不能に嵌着可能とされ、また、
前記ハウジングの天井面の少なくとも四隅に吊り上げ環を備え、さらに、前記ハウジングの前端両側側にチェーンブロック等の引張り締結具のフックが係合可能な係合環を備えていることを特徴とする請求項１又は２記載の合材保温ボックス。
【発明の詳細な説明】
【技術分野】
【０００１】
本発明は、加熱アスファルト材料（合材）を用いて道路舗装等の工事を行う際に使用する合材保温ボックスに関する。特に、小規模なアスファルト施工に好適な合材保温ボックスに係る発明である。
【背景技術】
【０００２】
加熱アスファルト材料、例えば、合材の使用量は、小規模なアスファルト舗装工事では、通常、２００〜３００ｋｇである。一方、合材プラントでのバッチは、通常、０．５〜２ｔ（トン）である。
【０００３】
このため、小規模なアスファルト舗装工事では２００〜１７００ｋｇの単位で合材が残る。そして、この残った合材は、時間経過とともに温度が低下して、使用不可能になり、通常、合材プラントに戻して、再加熱・攪拌して流動性を回復させる必要があった。
【０００４】
即ち、合材は、アスファルトの動粘度が１８０±２０cSt （×１０-6m2/s）（セイボルトフロール秒８５±１０）、及び３００±３０cSt （×１０-6m2/s）（セイボルトフロール秒１４０±１５）になるときの温度を、それぞれ、「混合温度」及び「締め固め温度」と規定されている（「アスファルト舗装要項」発行日：平５−１−１６、日本道路協会、ｐ．９０）。
【０００５】
上記各動粘度がアスファルト（合材）に得られる換算温度は、混合温度：１５２〜１５７℃、締め固め温度：１４０〜１４５℃となる。従って、合材は調製後、約１０℃の温度低下の内に舗装工事（施工）することが、安定した舗装面を得る見地から望ましい。
【０００６】
そして、離島等、合材プラントからの距離が長距離で、運搬中に温度が低下してしまう場合や、早朝等、時間的に合材が入手できない場合には、アスファルト舗装工事自体が不可能となった。
【０００７】
このため、従来は、ダンプカー等で搬送可能な断熱構造を備えた合材保温ボックスが各種使用されていた。
【０００８】
例えば、合材保温ボックスとして、本願出願人が先に提案した下記構成の合材保温ボックスがある（特許文献１請求項１参照）。
【０００９】
「加熱アスファルト材料を用いて道路舗装等の工事を行う際に使用する合材保温ボックスであって、ボックス本体の上面（上側）に材料投入口を備え、前記ボックス本体の下端側一側面に材料排出口を備え、また、前記投入材料の落下衝撃を緩和させる傾斜面を備えた衝撃緩和部材と、該衝撃緩和部材から流下した材料の自重・振動硬化を緩和させる傾斜面を備えた自重硬化緩和部材とを前記ボックス本体内に備えていることを特徴とする。」
【００１０】
そして、上記合材保温ボックスは、ダンプカーの荷台（デッキ）に載せて、合材投入ステーションから合材排出ステーション（アスファルト施工ステーション）に運搬し、該合材排出ステーションで、排出口両側フランジ部を介してねじ止め固定された排出口蓋体を取り外して合材を排出していた（特許文献１段落００２１）。
【００１１】
しかし、合材排出時毎にねじ外し・ねじ締めにより排出口蓋体を脱着して、合材排出口の開閉をする必要があり、合材排出作業、すなわち、アスファルト施工作業の効率が良好でなかった。
【先行技術文献】
【特許文献】
【００１２】
【特許文献１】特開平１１−２４７１２２公報
【発明の概要】
【発明が解決しようとする課題】
【００１３】
本発明は、上記にかんがみて、合材排出時の排出口の開閉作業の効率および安全性が格段に向上する合材保温ボックスを提供することを目的とする。
【課題を解決するための手段】
【００１４】
本発明者は、上記課題を解決するために鋭意開発に努力をする過程で、合材排出口の上端がヒンジ結合された片開き扉とする下記構成の合材保温ボックスに想到した。参考のために括弧付きで図符号を付す。
【００１５】
合材（加熱アスファルト）を投入保持する保温室（１２）と、該保温室（１２）を収納保持するハウジング(１６)とを備え、
保温室（１２）は、保温室本体（１３）と、該保温室本体を加熱保温する保温手段とを備え、
前記保温室本体（１３）は、上側に合材投入口（１８）を、後端側に合材排出口（２０）を備え、保温室本体の底壁が前端側から後端側に向かって下方へ傾斜する合材保温ボックスにおいて、
前記合材排出口(２０)が、上端で軸支された片開きの合材排出口扉（４２）で開閉可能とされ、該合材排出口扉（４２）の回動端とハウジング前壁（１６ａ）の上方部と間に合材排出口扉（４２）の閉じ防止線状体（５０）が配設されるとともに、前記合材排出口扉の両側と前記合材排出口（２０）の両側縁との間に扉開方向の付勢ばね手段(４８)が配されていることを特徴とする。
【図面の簡単な説明】
【００１６】
【図１】本発明の一実施形態である保温ボックスの平面図である。
【図２】図１の２−２線概略断面図ある（合材投入口扉省略）。
【図３】図１の３−３線概略断面図である。
【図４】図３の４−４線概略断面図である。
【図５】保温室の一部省略全体斜視図である。
【図６】図１の６−６線矢視図(背面図)である。
【図７】図１の保温ボックスのダンプカーデッキへのセット態様を示す全体斜視図である。
【図８】図７における空気ばね（付勢ばね手段）の取り付け態様を示す要部斜視図である。
【図９】保温ボックスをダンプカーの支持ブラケットに結合する際に使用する締結部材の斜視図である。
【図１０】本実施形態の保温ボックスを用いた場合の合材の保温特性の試験結果を示すグラフ図である。
【発明を実施するための形態】
【００１７】
以下、本発明に係る合材の保温ボックスＢの一実施形態を、図例に基づいて説明する。
【００１８】
保温ボックスＢは、合材を投入保持する保温室１２と、該保温室１２を収納保持するハウジング１６とを備えている。なお、１４はハウジング１６用のフレームである。
【００１９】
（１）上記保温室１２は、図２〜３に示す如く、保温室本体１３と、該保温室本体１３を加熱保温する保温手段とを備えている。
【００２０】
保温室本体１３は、矩形平面を有して上側に合材投入口１８を、後端側に合材排出口２０を備えている。
【００２１】
前記合材投入口１８に対面する底壁１３ｃは、前端側から後端側に向かって、即ち、前記合材排出口２０に向かって下向きに傾斜している。必然的ではないが、保温室本体１３の両側壁１３ｂの下端側の両側部は、図５に示す如く、テーパ状に縮径させることが、合材排出性の見地から望ましい。また、合材排出口２０の上方側を形成する保温室本体１３における後端壁１３ａは、階段状に形成されている（図３・５参照）。合材排出に際しての衝撃を緩和して排出を円滑に行うためである。
【００２２】
上記合材投入口１８は、二対の観音扉２６、２６が、それぞれ、合材投入口の両側部位のハウジング１６の前後にヒンジ結合３０されて配されている（図１・３参照）。観音扉２６、２６の各裏面には、板状断熱材２９、２９が貼着されている。図１において、３２、３４は観音扉開閉のための取手および扉開き時の受け座であり、３９は、合材飛散防止金具である。
【００２３】
さらに、３本の開き防止バー３８を、観音扉２６、２６の回動両側端を押えるように配して、各観音扉２６、２６の材料排出時の開き阻止可能となっている。
【００２４】
そして、ハウジング１６の合材排出口２０の対応部位には、矩形の合材排出口扉４２が、３本の回動アーム４２ａを介して上下回動可能にブラケット４４にピン結合されている（図６・７参照）。そして、合材排出口扉４２の回動両側端に取り付けられた一対の鉤状のロックレバー４６、４６を一対のロック環４７に係合させることにより、合材排出口扉４２がロック可能とされている。また、合材排出口扉４２も内側は断熱構造（図示せず）とされている。
【００２５】
さらに、合材排出口扉４２の扉開を円滑に行なう見地から、合材排出口扉４２の両側には扉開方向に付勢する空気ばね（付勢ばね手段）４８が配されてロックレバー４６の解除時、合材排出口扉４２が緩やかに開動作するようになっている（図６・８参照）。即ち、空気ばね４８のピストンロッド４８ａが合材排出口扉４２の両側の裏面切欠き部４２ｂの先端側ブラケット４９Ａを介して、同じくシリンダ４８ｂが裏面切り欠き部４２ｂの扉閉じ時の元部側の対面位置に形成された元部側ブラケット４９Ｂを介して、取り付けられている。
【００２６】
さらに、図６・７に示す如く、ハウジング１６の前壁１６ａの上端から扉開維持チェーン（閉じ防止線状体）５０が配され、合材排出口扉４２の回動端中央の係合鉤部５２と係合可能となっている。合材排出途中におけるダンプカーのデッキ傾斜角度変更に伴う合材排出口扉４２の扉開状態を維持するためである。
【００２７】
（２）上記保温手段は、底壁（傾斜面）１３ｃの外面に沿う底面面状流路５４と、該底面面状流路５４の後端側と前端側を接続する戻り流路５６とを備える（図３・４参照）。そして、底面面状流路５４の後端側（合材排出口２０側）に加熱手段（面状ヒータ）５８を備え、底面面状流路５４および戻り流路５６に充填する熱媒体が対流循環可能とされている。本実施形態では、さらに、両側壁１３ｂ、１３ｂにも、底面面状流路５４と下端で連通し、両側壁１３ｂ、１３ｂに沿う前面面状流路５９、側面面状流路６０、６０を備えている（図２・３・４参照）。
【００２８】
ここで前面面状流路５９は、下記構成により、主として熱媒体供給流路の作用を担う。前面面状流路５９の上側中央部には熱媒体供給口６２を備え、さらに、前面面状流路５９の後面側を形成する保温室本体１３の前壁１３ｄの下端部は延設されて、複数個（２〜５個）の分流穴６４ａを備えた分流隔壁６４とされている（図１・３参照）。該分流隔壁６４は、熱媒体の底面面状流路５４および側面面状流路６０への供給を幅方向で円滑にするためである。なお、図１・３において、６２ａは温度センサ、６２ｂは溢流口、６１は、制御ボックスである。制御ボックス６１は、温度センサ６２ａからの検知信号により面状ヒータ５８の通電制御を担うものである。
【００２９】
必然的ではないが、底面面状流路５４には、前・後側が開放された複数本の補強リブ５４ａが、側面面状流路６０には、上下が開放された複数本の補強リブ６０ａが配されている（図２・４・５参照）。各面状流路５４、６０における熱媒体の対流循環を促進させるとともに、各面状流路の補強のためである。補強リブ５４ａ、６０ａは、通常、各流路５４、６０の高さと同じとするが、熱媒体の対流循環の見地からは、１／２以上の高さがあればよい。
【００３０】
なお、熱媒体としては、通常、各種高温用有機熱媒体（オイル）を使用することができる。
【００３１】
（３）上記ハウジング１６は、通常、ハウジングフレーム（部分省略）１４を介して前記保温室１２を収納保持する（図３参照）。そして、保温室１２とハウジング１６の隙間には、発泡スチロール等の断熱材（図示せず）を充填する。
【００３２】
そして、ハウジング１６の天井壁７２の上面四隅には吊下げ環７４が配されている（図１・３・７参照）。該吊下げ環７４は、保温ボックスＢをダンプカーの荷台に、ホイストクレーン等を用いて積載乃至荷降ろしをするに際して、ワイヤーに取り付けた吊り下げフック（図示せず）と係合させるものである。また、ハウジング１６の前壁７５上端両側には、ダンプカーの荷台を傾斜状態としたとき、荷台に固定のためのチェーンブロック（引張り締結具）ＣＢを、上フックを介して取り付けるチェーンブロック係合環７６が配されている（図３・７参照）。なお、引張り締結具は、チェーンブロックに限られず、ターンバックル等であってもよい。
【００３３】
また、ハウジング１６の両側壁７９の後端上端側には結合用ブラケット７８が形成されている（図１・３・７・８参照）。各結合用ブラケット７８は、ダンプカー荷台のサイドゲートＳＧの後上端に形成されたテールゲート固定ハンドルＬＨの係合支持ブラケットＳＢと結合させる結合用長孔７８ａを有する。各結合用ブラケット７８と係合支持ブラケットＳＢとの結合は、図８・９に示す下記構成の組固定金具８０を取り付け可能とされている。該固定金具８０により、本発明の保温ボックスＢの後端側を安定して保持可能となる。
【００３４】
一端に結合用長孔７８ａに摺動可能な外径を有する円形嵌合部８２ａおよび外側座部８２ｂを有し、両端が雌ねじ部８２ｃとされた結合用ロッド８２と、ハウジング後壁７７と結合用ブラケット７８の内側に当接するアングル座板８４と、該アングル座板８４を介して、結合用ブラケット７８を取り付けるボックス側固定ボルト（外側固定ボルト）８６と、荷台サイドゲートＳＧの後端に形成された係合支持ブラケット（荷台）ＳＢに固定する荷台側固定ボルト（内側固定ボルト）８８と、該荷台側固定ボルト８８と支持ブラケットＳＢの外側面の間に介在させる固定リング９０とで構成される。なお、図例では支持ブラケットＳＢの枢支ピン孔９４は脱着用開口９４ａを備え、該脱着用開口９４ａは支持ブラケットＳＢの脱着用開口９４ａに嵌着するテールゲート用のロックハンドルＬＨを備えた構成である。上部支持ブラケットＳＢの枢支ピン孔９４は閉じ環であってもよい。その場合は、当然、テールゲート用のロックハンドルＬＨを備えていない。
【００３５】
なお、前記面状ヒータ５８としては、具体的には、ＮＡＳＡ（アメリカ航空宇宙局）によって開発されたとされる「シリコンラバーヒータ」（仕様：４５０mm×６００mm×３mmｔ、単相１００Ｖ、１５００Ｗ）を好適に使用できる。大きな保温加熱性が必要なときは、複数枚使用してもよい。
【００３６】
また、保温室本体１３の合材排出口２０を備えた排出口側壁内側が、更に、下端側に向かって内側へ向かう傾斜面としてもよい。この傾斜面により、排出口２０付近で、合材が自重により硬化すること、及び、上方から次々に、合材が流下して、必要以上に、合材が排出口から流出することを防止する作用を奏する。このとき、該傾斜面の側壁に対する傾斜角度は、ボックスの大きさ等により異なるが、３°〜１５°とする。
【００３７】
保温室本体１３の大きさは、例えば、１．５ｔの合材を投入（充填）できるもので、外径寸法、長さ１９７０cm、幅１２２０cm、後側高さ６９１cm、前側高さ７８７cmとする。この大きさにおける、合材排出口２０の大きさは、高さ：約２４cm、幅：約７５cmとする。
【００３８】
次に、上記実施形態の保温ボックスＢの使用態様を説明する。ここでは、荷台の左右ゲート（左・右あおり）が固定で、テールゲート（後あおり）のみ開閉するダンプカーを例に採り説明する（図７参照）。
【００３９】
（１）本実施形態の保温ボックスＢは、通常、ダンプカーの荷台（デッキ）にセット固定して使用する。予め、テールゲートは取り外しておき、テールゲート用の左・右の支持ブラケットＳＢを使用可能としておく。
【００４０】
先ず、保温ボックスＢの合材排出口２０の合材排出口扉４２を閉じ、ロックレバー４６を係合鉤部４７に係合させてロックし、続いて、合材投入口１８の前後の観音扉２６、２６を閉じ、さらに、開き防止バー３８で各観音扉２６、２６を開閉不可とする。この際、中央の投入口の観音扉２６の中間受け桟２７には、合材付着防止カバー（図示せず）を被せておく。
【００４１】
そして、その状態で、保温ボックスＢのハウジング上面壁７２の吊り下げ環７４にホイスト等の吊り下げワイヤーの吊り下げフックを係合させて吊り上げ、ダンプカーＤＣのデッキ上の所定位置に載置する（図７参照）。
【００４２】
このとき支持ブラケットＳＢの枢支ピン孔９４の軸心と保温ボックスＢの結合用ブラケット７８のブラケット長孔７８ａの縦中心軸とを合致させる。そして、結合用ロッド８２の嵌合部８２ａを結合用ブラケット７８の外側から結合長孔７８ａに嵌合させる。同時に、結合用ブラケット７８の内側からアングル座板８４の一方を当接させるとともに、他方をハウジング後壁７７に当接させた状態で、締結ボルト８６を結合用ロッド８２の雌ねじにねじ込んで固定をする（図８参照）。
【００４３】
続いて、結合用ロッド８２の他端の雌ねじ８２ｃに、固定リング９０を介して、固定ボルト８８を結合用ロッド８２の他端の雌ねじにねじ込み固定をする。
【００４４】
ここで結合用ブラケット７８は、結合孔が長孔７８ａとされているとともに結合用ロッド８２が荷台のサイドゲート間距離のバラツキ幅を吸収できる充分な長さを有しているため、荷台のサイドゲート間距離の高さ・幅が異なっても、保温ボックスの後側をトラックデッキに安定して保持できる。
【００４５】
さらに、ボックス前端側のチェーンブロックＣＢの上フックを係合させた状態で、下フックを荷台の左・右ゲートの下側のワイヤー用結合環９６に係合させて、チェーンブロックＣＢのチェーンを張設する。
【００４６】
こうして、保温ボックスはダンプ荷台から離脱不能となり、さらには、保温ボックスの排出口扉４２および合材投入口扉２６、２６も開閉不可となる。
【００４７】
この状態で、合材投入ステーションにダンプカーＤＣを移動させる。そして、合材投入ステーションで、開き防止バー３８を取り外して、合材投入口扉２６、２６を開く。この状態で、所定温度（例えば、表面温度１４０℃、内部温度１６０℃）の合材を、合材投入口１８から投入する。この合材投入に際して、予め、面状ヒータのスイッチを、制御盤６１を介して通電（オン）しておく。合材投入口扉２６の前後併せ部位置にある中間受け桟２７には、合材飛散防止カバーを被せておくことが望ましい。中間受け桟２７に合材が付着して、合材投入口扉２６の密閉度が阻害されるのを阻止できる。
【００４８】
そして、合材投入後、再度、合材投入口扉２６、２６を閉じて、開き防止バー３８、３８、・・で合材投入口扉２６、２６を開不可とする。
【００４９】
ここで、熱媒体温度は、温度センサからの温度信号により、面状発熱体が通電・非通電されて、所定温度に制御される。このとき、熱媒体は、保温室本体１３の底面面状流路５４および両側における側面面状流路６０に沿って、戻り流路５６を介して対流循環される。このため、保温室本体１３内は、全体的に保温され合材の温度が長時間維持される。
【００５０】
そして、合材を使用してアスファルト施工を行う場所で、使用時には、合材排出口２０を開いて、ダンプカーの荷台を適宜角度に傾斜させて、舗装工事位置（施工部位）に合材を流下させる。このとき、合材は温度低下していないため、円滑に合材が合材排出口から排出される。
【００５１】
その際、合材排出口扉４２の回動端と合材排出口２０の上方のボックス前壁上端の間は扉開維持チェーン５０で結合しておく。このため、ダンプカーのデッキの傾斜角度が小さくなっても、合材排出口扉４２が突発的に閉じることがない。また、ダンプカーのデッキの傾斜角度が大きく扉開維持チェーン５０の維持可能以上に開いた状態から、合材排出口扉４２が閉方向に回動するに際して、空気ばね４８が存在するため、合材排出口扉４２が急に閉じ状態となることがない。扉の急な回動により作業者が衝撃を受けることがない。
【００５２】
所定量の合材が排出したら、ダンプカーの荷台の傾斜を平行にし、排出口扉４２で合材排出口２０を閉じる。こうして、合材を保温ボックスＢで保温して保管する。この保管途中においても、保温ボックスＢ内は、高温に維持されるため、合材が硬化温度まで低下することもない。
【００５３】
なお、図１０に合材を本実施形態の保温ボックスＢに入れて、熱媒体を加熱しない場合における合材表面温度と合材内部温度の保温特性を示すとともに、面状ヒータの通電後における熱媒体の温度変化を示す。図１０から熱媒体により合材の温度低下を抑制できることが伺える。
【符号の説明】
【００５４】
１２    保温室
１３    保温室本体
１６    ハウジング
２０    合材排出口
４２    合材排出口扉
４８    空気ばね（付勢ばね手段）
【図１】
0005513458.tif 000002
【図２】
0005513458.tif 000003
【図３】
0005513458.tif 000004
【図４】
0005513458.tif 000005
【図５】
0005513458.tif 000006
【図６】
0005513458.tif 000007
【図７】
0005513458.tif 000008
【図８】
0005513458.tif 000009
【図９】
0005513458.tif 000010
【図１０】
0005513458.tif 000011